(57)【要約】【課題】ユーザーの負担を軽減する。【解決手段】第１・第２受信装置１，２の接続部Ｓ１，Ｓ２が選択的に接続される被接続部Ｓ３と、被接続部Ｓ３に接続された作動回路４を有し、被接続部Ｓ３は、各接続部Ｓ１，Ｓ２の電源端子Ｔ１，Ｔ４が接続される電源供給端子Ｔ７と、各接続部Ｓ１，Ｓ２の信号出力端子Ｔ２，Ｔ５が接続される信号入力端子Ｔ８と、各接続部Ｓ１，Ｓ２のアース端子Ｔ３，Ｔ６が接続されると共に接地されるアース端子Ｔ９を有し、作動回路４は、電源供給端子Ｔ７に電源を供給する受信装置用電源回路Ｂ３と、第１受信装置１から出力されたリモコン信号が入力されてリモコン信号をオーディオ機器の制御部ＣＮに出力する第１出力回路６と、第２受信装置２から出力されたリモコン信号が入力されてリモコン信号をオーディオ機器の制御部ＣＮに出力する第２出力回路７を有する。【選択図】  図１
2008072311.tif 000002
【特許請求の範囲】
【請求項１】
オーディオ／ビジュアル機器に備えられ、
オーディオ／ビジュアル機器を操作するためのリモコン信号を受信して出力する第１・第２受信装置が選択的に接続され、
第１受信装置が、
Ａ．リモコン信号を出力するＰＮＰ型トランジスタと、
Ｂ．上記トランジスタのエミッタと接続される電源端子と、上記トランジスタのコレク    タと接続される信号出力端子と、接地されるアース端子を有する接続部
を有し、
第２受信装置が、
Ａ．リモコン信号を出力するＮＰＮ型トランジスタと、
Ｂ．第２受信装置に電源を供給するための電源端子と、上記トランジスタのコレクタと    接続される信号出力端子と、上記トランジスタのエミッタと接続され且つ接地される    アース端子を有する接続部
を有するものであって、
各受信装置の接続部が選択的に接続される被接続部と、
被接続部に接続された作動回路
を有し、
被接続部は、
イ．各接続部の電源端子が接続される電源供給端子と、
ロ．各接続部の信号出力端子が接続される信号入力端子と、
ハ．各接続部のアース端子が接続されると共に、接地されるアース端子
を有し、
作動回路は、
イ．電源供給端子に電源を供給する受信装置用電源回路と、
ロ．第１受信装置から出力されたリモコン信号が入力されて、リモコン信号をオーディ    オ／ビジュアル機器の制御部に出力する第１出力回路と、
ハ．第２受信装置から出力されたリモコン信号が入力されて、リモコン信号をオーディ    オ／ビジュアル機器の制御部に出力する第２出力回路
を有するオーディオ／ビジュアル機器のリモコン用接続装置。
【請求項２】
グラウンドと出力用電源回路間に、直列に接続された第１・第２出力回路が介装され、  両出力回路の接続点が信号入力端子と接続された請求項１記載のオーディオ／ビジュアル機器のリモコン用接続装置。
【請求項３】
各出力回路が、ダイオード、ツェナーダイオード及び制御部用フォトカプラーを有し、
各出力回路において、グラウンドに向かう方向が順方向とされたダイオード及びフォトカプラーの発光ダイオードと、出力用電源回路に向かう方向が順方向とされたツェナーダイオードが直列に接続され、
フォトカプラーのフォトトランジスタが制御部にリモコン信号を出力する請求項２記載のオーディオ／ビジュアル機器のリモコン用接続装置。
【請求項４】
作動回路が、
両出力回路の接続点の電位を、出力用電源回路と第２出力回路の接続点の電位の１    ／２として、各出力回路の誤作動を防止する誤作動防止回路
を有する請求項２又は３記載のオーディオ／ビジュアル機器のリモコン用接続装置。
【請求項５】
誤作動防止回路が、第１・第２出力回路とそれぞれ並列に接続される第１・第２維持回路を有する請求項４記載のオーディオ／ビジュアル機器のリモコン用接続装置。
【請求項６】
各維持回路が、グラウンドに向かう方向が順方向とされたダイオードと、ダイオードに直列に接続された抵抗を有する請求項５記載のオーディオ／ビジュアル機器のリモコン用接続装置。
【請求項７】
リモコン信号を他のオーディオ／ビジュアル機器に出力するための外部出力部が備えられ、
作動回路に、
イ．各出力回路に備えられて、リモコン信号を出力する第１・第２外部出力回路と、
ロ．第１・第２外部出力回路からのリモコン信号が入力されて、外部出力部にリモコン    信号を出力する中継回路
が備えられた請求項１〜６の何れかに記載のオーディオ／ビジュアル機器のリモコン用接続装置。
【請求項８】
各外部出力回路が外部出力用フォトカプラーを有し、
これら各フォトカプラーの発光ダイオードが各出力回路の制御部用フォトカプラーの発光ダイオードと並列に接続され、
各外部出力用フォトカプラーのフォトトランジスタのエミッタが接地され、
中継回路が、リモコン信号を外部出力部に出力するためのトランジスタを有し、
トランジスタのベースに各外部出力用フォトカプラーのフォトトランジスタのコレクタが接続された請求項７記載のオーディオ／ビジュアル機器のリモコン用接続装置。
【請求項９】
Ａ．請求項１〜８の何れかに記載の複数のリモコン用接続装置と、
Ｂ．リモコン用接続装置に備えられて、全ての又は一つのリモコン用接続装置に入力さ    れたリモコン信号を外部に出力する請求項７又は８記載の単一又は複数の外部出力部
を有するオーディオ／ビジュアル機器のリモコン用接続ユニット。
【請求項１０】
請求項１〜８の何れかに記載の複数のリモコン用接続装置を有し、
リモコン用接続装置の一つが、請求項７又は８記載の外部出力部、第１・第２外部出力回路及び中継回路を有し、
リモコン用接続装置の他のものが、上記中継回路にリモコン信号を出力する請求項７又は８記載の第１・第２外部出力回路を有するオーディオ／ビジュアル機器のリモコン用接続ユニット。
【発明の詳細な説明】
【技術分野】
【０００１】
本発明は、オーディオ／ビジュアル機器のリモコン用接続装置及びリモコン用接続ユニットに関する。
【背景技術】
【０００２】
オーディオ／ビジュアルシステムにおいて、このシステムを構成するオーディオ／ビジュアル機器をリモコンにより操作することは周知である（例えば、特許文献１参照）。このようなオーディオシステムにおいて、複数のルームで、ラジオ番組等を聴取できるものとして、図４に示すものがある。
【０００３】
このものでは、例えば、メインルーム２１に、オーディオ機器として、ラジオ受信装置２２やその他のオーディオ機器２３が備えられると共に、コネクティングブロック２４が備えられている。このブロック２４の各端子２５〜２７には、電源プラグ２９、ラジオ受信装置２２等の接続プラグ３０、他のルームに配置されたリモコン受信装置３１の接続部（接続プラグ）３２等が接続されると共に、ブロック２４の接続端子２８には他の部屋のリモコン受信装置（図示省略）がケーブル３３で接続されている。又、リモコン受信装置３１はリモコン送信装置３４からのリモコン信号を受信する。
【０００４】
ところで、上記リモコン受信装置は２つ以上のメーカーで製造されているが、下記のように、メーカーにより信号出力形式は相違している。即ち、一方のリモコン受信装置を第１受信装置３５とし、他方のリモコン受信装置を第２受信装置３６とした場合、図５に示すように、第１受信装置３５は、リモコン信号を出力するＰＮＰ型トランジスタＱ５を有しており、その接続部Ｓ５は、トランジスタＱ５のエミッタ及び電源回路Ｂ５と接続される電源端子Ｔ２１と、トランジスタＱ５のコレクタと接続される信号出力端子Ｔ２２と、接地されるアース端子Ｔ２３を有する。
【０００５】
又、第２受信装置３６は、リモコン信号を出力するＮＰＮ型トランジスタＱ６を有しており、その接続部Ｓ６は、第２受信装置３６の電源回路Ｂ６に電源を供給するための電源端子Ｔ２４と、トランジスタＱ６のコレクタと接続される信号出力端子Ｔ２５と、トランジスタＱ６のエミッタと接続され且つ接地されるアース端子Ｔ２６を有する。
【０００６】
ところで、上記のように、各受信装置の信号出力形式が相違するため、コネクティングブロック２４は、上記相違に対応するために、下記のように構成されている。即ち、コネクティングブロック２４は、第１・第２受信装置３５，３６の各接続部Ｓ５，Ｓ６が対応して接続される第１・第２被接続部Ｓ７，Ｓ８を有し、各被接続部Ｓ７，Ｓ８は、入力端子として、１２Ｖの電源が供給され且つ各接続部Ｓ５，Ｓ６の電源端子Ｔ２１，Ｔ２４が接続される電源供給端子Ｔ２７，Ｔ３０と、各接続部Ｓ５，Ｓ６の信号出力端子Ｔ２２，Ｔ２５が接続される信号入力端子Ｔ２８，Ｔ３１と、接地され且つ各接続部Ｓ５，Ｓ６のアース端子Ｔ２３，Ｔ２６が接続されるアース端子Ｔ２９，Ｔ３２を有している。又、コネクティングブロック２４は、出力端子として、各信号入力端子Ｔ２８，Ｔ３１に対応して接続された第１・第２外部出力端子Ｔ３３，Ｔ３４と、共通出力回路３７と接続された共通端子Ｔ３５を有し、第１受信装置３５の接続部Ｓ５が第１被接続部Ｓ７に接続された際に、端子Ｔ３５が共通出力回路３７を介して接地し、第２受信装置３６の接続部Ｓ６が第２被接続部Ｓ８に接続された際に、共通端子Ｔ３５に共通出力回路３７を介して＋５Ｖの電源電圧が供給されるように構成されている。そして、ラジオ受信装置２２等の接続プラグ３０をコネクティングブロック２４の接続端子２６に接続した際に、接続プラグ３０が第１・第２外部出力端子Ｔ３３，Ｔ３４の一方及び共通端子Ｔ３５と接続されて、ラジオ受信装置２２等がリモコン操作可能となる。
【０００７】
ところで、上記オーディオシステムをユーザーが使用する場合には、ユーザーは、第１受信装置３５又は第２受信装置３６だけではなく、コネクティングブロック２４も購入する必要があり、ユーザーの負担が重いとの問題があった。
【０００８】
【特許文献１】特開平１０−３２２７７７号公報
【発明の開示】
【発明が解決しようとする課題】
【０００９】
本発明は、ユーザーの負担を軽減できるオーディオ／ビジュアル機器のリモコン用接続装置及びリモコン用接続ユニットを提供することを目的とする。
【課題を解決するための手段】
【００１０】
上記目的を達成するために、本発明のリモコン用接続装置の特徴とするところは、オーディオ／ビジュアル機器に備えられ、オーディオ／ビジュアル機器を操作するためのリモコン信号を受信して出力する第１・第２受信装置が選択的に接続され、第１受信装置が、Ａ．リモコン信号を出力するＰＮＰ型トランジスタと、Ｂ．上記トランジスタのエミッタと接続される電源端子と、上記トランジスタのコレクタと接続される信号出力端子と、接地されるアース端子を有する接続部を有し、第２受信装置が、Ａ．リモコン信号を出力するＮＰＮ型トランジスタと、Ｂ．第２受信装置に電源を供給するための電源端子と、上記トランジスタのコレクタと接続される信号出力端子と、上記トランジスタのエミッタと接続され且つ接地されるアース端子を有する接続部を有するものであって、各受信装置の接続部が選択的に接続される被接続部と、被接続部に接続された作動回路を有し、被接続部は、イ．各接続部の電源端子が接続される電源供給端子と、ロ．各接続部の信号出力端子が接続される信号入力端子と、ハ．各接続部のアース端子が接続されると共に、接地されるアース端子を有し、作動回路は、イ．電源供給端子に電源を供給する受信装置用電源回路と、ロ．第１受信装置から出力されたリモコン信号が入力されて、リモコン信号をオーディオ／ビジュアル機器の制御部に出力する第１出力回路と、ハ．第２受信装置から出力されたリモコン信号が入力されて、リモコン信号をオーディオ／ビジュアル機器の制御部に出力する第２出力回路を有する点にある。
尚、グラウンドと出力用電源回路間に、直列に接続された第１・第２出力回路が介装され、両出力回路の接続点が信号入力端子と接続されることもある。
又、各出力回路が、ダイオード、ツェナーダイオード及び制御部用フォトカプラーを有し、各出力回路において、グラウンドに向かう方向が順方向とされたダイオード及びフォトカプラーの発光ダイオードと、出力用電源回路に向かう方向が順方向とされたツェナーダイオードが直列に接続され、フォトカプラーのフォトトランジスタが制御部にリモコン信号を出力することもある。
更に、作動回路が、両出力回路の接続点の電位を、出力用電源回路と第２出力回路の接続点の電位の１／２として、各出力回路の誤作動を防止する誤作動防止回路を有することもある。
又、誤作動防止回路が、第１・第２出力回路とそれぞれ並列に接続される第１・第２維持回路を有することもある。
更に、各維持回路が、グラウンドに向かう方向が順方向とされたダイオードと、ダイオードに直列に接続された抵抗を有することもある。
又、リモコン信号を他のオーディオ／ビジュアル機器に出力するための外部出力部が備えられ、作動回路に、イ．各出力回路に備えられて、リモコン信号を出力する第１・第２外部出力回路と、ロ．第１・第２外部出力回路からのリモコン信号が入力されて、外部出力部にリモコン信号を出力する中継回路が備えられることもある。
更に、各外部出力回路が外部出力用フォトカプラーを有し、これら各フォトカプラーの発光ダイオードが各出力回路の制御部用フォトカプラーの発光ダイオードと並列に接続され、各外部出力用フォトカプラーのフォトトランジスタのエミッタが接地され、中継回路が、リモコン信号を外部出力部に出力するためのトランジスタを有し、トランジスタのベースに各外部出力用フォトカプラーのフォトトランジスタのコレクタが接続されることもある。
又、本発明のリモコン用接続ユニットの特徴とするところは、Ａ．複数の上記リモコン用接続装置と、Ｂ．リモコン用接続装置に備えられて、全ての又は一つのリモコン用接続装置に入力されたリモコン信号を外部に出力する単一又は複数の上記外部出力部を有する点にある。
尚、複数の上記リモコン用接続装置を有し、リモコン用接続装置の一つが、上記外部出力部、第１・第２外部出力回路及び中継回路を有し、リモコン用接続装置の他のものが、上記中継回路にリモコン信号を出力することもある。
【発明の効果】
【００１１】
本発明によれば、ユーザーは第１受信装置又は第２受信装置を購入するだけでよく、従来のように、コネクティングブロックを購入する必要がないので、ユーザーの負担を軽減できる。
請求項４記載の発明によれば、作動回路の誤作動を防止できる。
請求項７記載の発明によれば、リモコン信号を外部に出力できて、他のオーディオ／ビジュアル機器をリモコン操作できる。
【発明を実施するための最良の形態】
【００１２】
以下、本発明をオーディオシステムに適用したリモコン用接続装置の実施の形態の第１例を図１の図面に基づき説明すると、リモコン装置は、リモコン信号を例えば赤外線で出力するリモコン送信装置（図示省略）と、リモコン信号を受信する第１受信装置１又は第２受信装置２と、リモコン用接続装置３を有する。
【００１３】
第１受信装置１は、リモコン信号を増幅して出力するための増幅回路として例示するＰＮＰ型トランジスタＱ１と、リモコン信号を外部に出力するための接続部Ｓ１を有する。トランジスタＱ１のベースには、リモコン信号が入力される。接続部Ｓ１は、トランジスタＱ１のエミッタ及び第１受信装置１の電源回路Ｂ１に接続される電源端子Ｔ１と、トランジスタＱ１のコレクタに接続される信号出力端子Ｔ２と、接地されるアース端子Ｔ３を有する。第２受信装置２は、リモコン信号を増幅して出力するための増幅回路として例示するＮＰＮ型トランジスタＱ２と、リモコン信号を外部に出力するための接続部Ｓ２を有する。トランジスタＱ２のベースには、リモコン信号が入力される。接続部Ｓ２は、第２受信装置２の電源回路Ｂ２に接続される電源端子Ｔ４と、トランジスタＱ２のコレクタに接続される信号出力端子Ｔ５と、トランジスタＱ２のエミッタとグラウンドに接続されるアース端子Ｔ６を有する。
【００１４】
リモコン用接続装置３はオーディオ機器に備えられると共に、第１・第２受信装置１，２が選択的に接続されるものであって、第１・第２受信装置１，２の接続部Ｓ１，Ｓ２が接続される被接続部Ｓ３と、被接続部Ｓ３に接続された作動回路４を有する。
【００１５】
被接続部Ｓ３は、各受信装置１，２の電源端子Ｔ１，Ｔ４が接続される電源供給端子Ｔ７と、各受信装置１，２の信号出力端子Ｔ２，Ｔ５が接続される信号入力端子Ｔ８と、各受信装置１，２のアース端子Ｔ３，Ｔ６が接続されると共に接地されるアース端子Ｔ９を有する。
【００１６】
作動回路４は入力されたリモコン信号をオーディオ機器の制御部ＣＮに出力するもので、電源供給端子Ｔ７に例えば＋１２Ｖの電源電圧を供給する受信装置用電源回路Ｂ３と、例えば＋５Ｖの電源電圧を供給する出力用電源回路Ｂ４と、第１・第２出力回路６，７と、誤作動防止回路８を有する。
【００１７】
第１・第２出力回路６，７は直列に接続されて、グラウンドと出力用電源回路Ｂ４間に介装されると共に、両出力回路６，７の接続点が信号入力端子Ｔ８と接続されている。第１出力回路６は第１受信装置１から入力されたリモコン信号をオーディオ機器の制御部（マイクロコントローラ、システムコントローラ、制御装置、制御手段）ＣＮに出力し、第２出力回路７は第２受信装置２から入力されたリモコン信号をオーディオ機器の制御部ＣＮに出力する。尚、制御部ＣＮは、情報処理を行う中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）等を有する。各出力回路６，７は、制御部用フォトカプラーＰＨ１，ＰＨ２と、抵抗Ｒ１〜Ｒ３と、ツェナーダイオードＴＤ１，ＴＤ２と、ダイオードＤ１，Ｄ２を有する。第１出力回路６では、グラウンドに向かう方向が順方向とされた制御部用フォトカプラーＰＨ１の発光ダイオードＰＤ１と、抵抗Ｒ１と、出力用電源回路Ｂ４に向かう方向が順方向とされたツェナーダイオードＴＤ１と、グラウンドに向かう方向が順方向とされたダイオードＤ１が、上記の順で直列に接続されている。又、第２出力回路７では、グラウンドに向かう方向が順方向とされたダイオードＤ２と、出力用電源回路Ｂ４に向かう方向が順方向とされたツェナーダイオードＴＤ２と、抵抗Ｒ２と、グラウンドに向かう方向が順方向とされた制御部用フォトカプラーＰＨ２の発光ダイオードＰＤ２が上記の順で接続されている。尚、制御部用フォトカプラーＰＨ１，ＰＨ２の発光ダイオードＰＤ１，ＰＤ２の定格電圧が約２．４Ｖとされ、抵抗Ｒ１〜Ｒ３の抵抗値が約１００Ωとされ、ツェナーダイオードＴＤ１，ＴＤ２のツェナー電圧が約１．８Ｖとされ、ダイオードＤ１，Ｄ２の順方向電流による電圧降下が約０．６Ｖとされている。両制御部用フォトカプラーＰＨ１，ＰＨ２のフォトトランジスタＰＱ１，ＰＱ２は並列に接続されて、両者のエミッタ同志が接続され、又、両者のコレクタ同志が接続されると共に、抵抗Ｒ３と接続されており、フォトトランジスタＰＱ１，ＰＱ２及び抵抗Ｒ３がグラウンドと出力用電源回路Ｂ４間に介装されている。
【００１８】
誤作動防止回路８は、両出力回路１，２の接続点の電位を出力用電源回路Ｂ４と第２出力回路７の接続点の電位の１／２、即ち、２．５Ｖとして、両出力回路１，２の誤作動を防止するもので、第１・第２出力回路６，７とそれぞれ並列に接続される第１・第２維持回路１０，１１を有する。各維持回路１０，１１は、抵抗Ｒ４，Ｒ５と、グラウンドに向かう方向が順方向とされたダイオードＤ３，Ｄ４が直列に接続されており、抵抗Ｒ４，Ｒ５の抵抗値が約１００Ωとされ、ダイオードＤ３，Ｄ４の順方向電流による電圧降下が約０．６Ｖとされている。
【００１９】
上記構成例によれば、リモコン用接続装置１の被接続部Ｓ３に第１・第２受信装置１，２の接続部Ｓ１，Ｓ２を接続していない状態では、第１・第２各出力回路６，７に２．５Ｖの電圧が印可される。しかし、各出力回路６，７では、制御部用フォトカプラーＰＨ１，ＰＨ２の発光ダイオードＰＤ１，ＰＤ２の定格電圧が約２．４Ｖとされ、ツェナーダイオードＴＤ１，ＴＤ２のツェナー電圧が約１．８Ｖとされ、ダイオードＤ１，Ｄ２の順方向電流による電圧降下が約０．６Ｖとされているので、制御部用フォトカプラーＰＨ１，ＰＨ２の発光ダイオードＰＤ１，ＰＤ２は全く乃至殆ど発光しない。それ故、制御部用フォトカプラーＰＨ１，ＰＨ２のフォトトランジスタＰＱ１，ＰＱ２には電流が流れることはない。
【００２０】
又、誤作動防止回路８により、両出力回路６，７の接続点の電位が出力用電源回路Ｂ４と第２出力回路７の接続点の電位の１／２、即ち、２．５Ｖに維持されるので、第１・第２各出力回路６，７に２．５Ｖ以上の電圧が印可される惧れはなく、第１・第２各出力回路６，７が誤作動する惧れはない。
【００２１】
第１受信装置１の接続部Ｓ１をリモコン用接続装置３の被接続部Ｓ３に接続すると、接続部Ｓ１の電源端子Ｔ１が被接続部Ｓ３の電源供給端子Ｔ７に、接続部Ｓ１の信号出力端子Ｔ２が被接続部Ｓ３の信号入力端子Ｔ８に、又、接続部Ｓ１のアース端子Ｔ３が被接続部Ｓ３のアース端子Ｔ９に接続される。
【００２２】
これにより、リモコン用接続装置１の受信装置用電源回路Ｂ３から、電源供給端子Ｔ７及び電源端子Ｔ１を介して、第１受信装置１の電源回路Ｂ１及びＰＮＰ型トランジスタＱ１のエミッタに１２Ｖの電源電圧が供給される。
【００２３】
この状態で、第１受信装置１がリモコン送信装置からのリモコン信号を受信すると、このリモコン信号がトランジスタＱ１のベースに入力されて、このトランジスタＱ１がオン操作される。これにより、このトランジスタＱ１により増幅されたリモコン信号がコレクタから、信号出力端子Ｔ２及び信号入力端子Ｔ８を介して、第１出力回路６に出力される。
【００２４】
これによって、第１出力回路６には１２Ｖの電圧が印可されて、制御部用フォトカプラーＰＨ１の発光ダイオードＰＤ１に、その定格電圧である約２．４Ｖ以上の電圧が印可される。これにより、発光ダイオードＰＤ１が発光して、制御部用フォトカプラーＰＨ１のフォトトランジスタＰＱ１のコレクタからエミッタに向かってリモコン信号が流れ、オーディオ機器の制御部ＣＮにリモコン信号が入力されて、制御部ＣＮにより、所定のリモコン動作が行われる。
【００２５】
又、第２受信装置２の接続部Ｓ２をリモコン用接続装置の被接続部Ｓ３に接続すると、上記同様に、接続部Ｓ２の電源端子Ｔ４が被接続部Ｓ３の電源供給端子Ｔ１に、接続部Ｓ２の信号出力端子Ｔ５が被接続部Ｓ３の信号入力端子Ｔ８に、又、接続部Ｓ２のアース端子Ｔ３が被接続部Ｓ３のアース端子Ｔ９に接続される。
【００２６】
これにより、リモコン用接続装置１の受信装置用電源回路Ｂ３から、電源供給端子Ｔ７及び電源端子Ｔ４を介して、第２受信装置２の電源回路に１２Ｖの電源電圧が供給される。
【００２７】
この状態で、第２受信装置２がリモコン送信装置からのリモコン信号を受信すると、このリモコン信号がトランジスタＱ２のベースに入力されて、このトランジスタＱ２がオン操作される。これにより、このトランジスタＱ２により増幅され且つコレクタからエミッタに向かう方向のリモコン信号が第２出力回路７に入力される。
【００２８】
これによって、第２出力回路７には５Ｖの電圧が印可されて、制御部用フォトカプラーＰＨ２の発光ダイオードＰＤ２に、その定格電圧である約２．４Ｖ以上の電圧が印可される。これにより、発光ダイオードＰＤ２が発光して、制御部用フォトカプラーＰＨ２のフォトトランジスタＰＱ２のコレクタからエミッタに向かってリモコン信号が流れ、オーディオ機器の制御部ＣＮにリモコン信号が入力されて、制御部ＣＮにより、所定のリモコン動作が行われる。
【００２９】
図２は本発明の実施の形態の第２例を示すもので、第１例の変形例であって、第１例の構成に、第１・第２外部出力回路１２，１３と、中継回路１４と、外部出力部ＯＰが付加されている。
【００３０】
第１・第２外部出力回路１２，１３は第１・第２各出力回路６，７に備えられて、各出力回路６，７に入力されたリモコン信号を中継回路１４を介して外部出力部ＯＰに出力するもので、各出力回路６，７の制御部用フォトカプラーＰＨ１，ＰＨ２の発光ダイオードＰＤ１，ＰＤ２及び抵抗Ｒ１，Ｒ２と並列に接続されている。各外部出力回路１２，１３は、各制御部用フォトカプラーＰＨ１，ＰＨ２と同様の外部出力用フォトカプラーＰＨ３，ＰＨ４と、各出力回路６，７の抵抗Ｒ１，Ｒ２と同一抵抗値である抵抗Ｒ６，Ｒ７を有する。各外部出力用フォトカプラーＰＨ３，ＰＨ４の発光ダイオードＰＤ３，ＰＤ４と各抵抗Ｒ６，Ｒ７は直列に接続されている。又、各外部出力用フォトカプラーＰＨ３，ＰＨ４のフォトトランジスタＰＱ３，ＰＱ４のコレクタ同士は接続され、エミッタは接地されている。
【００３１】
中継回路１４は抵抗内蔵タイプのＰＮＰ型トランジスタＱ３と抵抗Ｒ８を有する。トランジスタＱ３はリモコン信号を増幅して、外部出力部ＯＰに出力するもので、そのベースが各外部出力用フォトカプラーＰＨ３，ＰＨ４のフォトトランジスタＰＱ３，ＰＱ４のコレクタと接続され、トランジスタＱ３のエミッタが出力用電源回路Ｂ４に接続され、トランジスタＱ３のコレクタが抵抗Ｒ８と直列に接続されている。
【００３２】
外部出力部ＯＰはリモコン信号を他のオーディオ機器に出力するもので、外部出力部ＯＰには被接続部８（図示省略）が分離可能に接続される。外部出力部ＯＰは、抵抗Ｒ８と接続された信号出力端子Ｔ１０と、接地されたアース端子Ｔ１１を有する。
【００３３】
上記構成例によれば、第１受信装置１の接続部Ｓ１をリモコン用接続装置３の被接続部Ｓ３に接続した場合において、第１出力回路６にリモコン信号が流れた際には、第１外部出力回路１２の外部出力用フォトカプラーＰＨ３の発光ダイオードＰＤ３にもリモコン信号が流れて、発光し、これにより、外部出力用フォトカプラーＰＨ３のフォトトランジスタＰＱ３のコレクタからエミッタに向かってリモコン信号が流れて、中継回路１４のトランジスタＱ３のベースに出力される。
【００３４】
これによって、このトランジスタＱ３がオン操作され、リモコン信号が増幅されて、外部出力部ＯＰの信号出力端子Ｔ１０に出力される。従って、外部出力部ＯＰにリモコン信号取出用の被接続部（図示省略）を接続しておけば、外部にリモコン信号を出力できて、他のオーディオ機器をリモコン操作できる。
【００３５】
又、第２受信装置２の接続部Ｓ２をリモコン用接続装置３の被接続部Ｓ３に接続した場合において、第２出力回路７にリモコン信号が流れた際にも、第２外部出力回路１３の外部出力用フォトカプラーＰＨ４及び中継回路１４のトランジスタＱ３が上記同様に作動して、リモコン信号が外部出力部ＯＰの信号出力端子Ｔ１０に出力される。
【００３６】
図３は本発明のリモコン用接続ユニットの実施の形態の形態の一例を示すもので、２つのリモコン用接続装置３，３Ａに単一の外部出力部ＯＰが備えられている。具体的には、図２に示す装置から成る第１リモコン用接続装置３と、図２に示す装置から中継回路及び外部出力部を除去した第２リモコン用接続装置３Ａから構成されている。尚、第２リモコン用接続装置３Ａの各部（各部材）には、図２に示す装置の対応する各部（各部材）の符号にＡを付加した符号を付している。
【００３７】
第２リモコン用接続装置３Ａの各外部出力用フォトカプラーＰＨ３Ａ，ＰＨ４ＡのフォトトランジスタＰＱ３Ａ，ＰＱ４Ａのコレクタは第１リモコン用接続装置３の中継回路１４のトランジスタＱ３のベースに接続されている。
【００３８】
上記構成例によれば、何れのリモコン用接続装置３，３Ａにリモコン信号が入力されても、外部出力部ＯＰからリモコン信号を出力できる。
【００３９】
尚、図３に示す例では、２つのリモコン用接続装置に単一の外部出力部を備えたが、リモコン用接続装置は３つ以上であってもよく、又、複数のリモコン用接続装置に複数の外部出力部を備えてもよい。又、実施の形態は本発明をオーディオ機器（システム）に適用したものであるが、本発明はビジュアル機器やオーディオ・ビジュアル機器にも適用可能である。
【図面の簡単な説明】
【００４０】
【図１】本発明のリモコン用接続装置の実施の形態の第１例を示す回路図である。
【図２】本発明のリモコン用接続装置の実施の形態の第２例を示す回路図である。
【図３】本発明のリモコン用接続ユニットの実施の形態の一例を示す回路図である。
【図４】従来一例を示す説明図である。
【図５】従来一例を示す回路図である。
【符号の説明】
【００４１】
１，２  第１・第２受信装置
３，３Ａ  リモコン用接続装置
４，４Ａ  作動回路
６，７，６Ａ，７Ａ  第１・第２出力回路
８，８Ａ  誤作動防止回路
１０，１１，１０Ａ，１１Ａ  第１・第２維持回路
１２，１３，１２Ａ，１３Ａ  第１・第２外部出力回路
１４  中継回路
Ｂ３，Ｂ３Ａ  受信装置用電源回路
Ｂ４，Ｂ４Ａ  出力用電源回路
ＣＮ，ＣＮＡ  制御部
Ｄ１，Ｄ２，Ｄ３，Ｄ４，Ｄ１Ａ，Ｄ２Ａ，Ｄ３Ａ，Ｄ４Ａ  ダイオード
ＯＰ  外部出力部
ＰＤ１，ＰＤ２，ＰＤ３，ＰＤ４，ＰＤ１Ａ，ＰＤ２Ａ，ＰＤ３Ａ，ＰＤ４Ａ  発光ダイオード
ＰＨ１，ＰＨ２，ＰＨ１Ａ，ＰＨ２Ａ  制御部用フォトカプラー
ＰＨ３，ＰＨ４，ＰＨ３Ａ，ＰＨ４Ａ  外部出力用フォトカプラー
ＰＱ１，ＰＱ２，ＰＱ３，ＰＱ４，ＰＱ１Ａ，ＰＱ２Ａ，ＰＱ３Ａ，ＰＱ４Ａ  フォトトランジスタ
Ｑ１〜Ｑ３，Ｑ１Ａ，Ｑ２Ａ  トランジスタ
Ｒ１〜Ｒ８，Ｒ１Ａ〜Ｒ７Ａ  抵抗
Ｓ１，Ｓ２，Ｓ４  接続部
Ｓ３，Ｓ３Ａ  被接続部
Ｔ１，Ｔ４  電源端子
Ｔ２，Ｔ５，Ｔ１０  信号出力端子
Ｔ３，Ｔ６，Ｔ９，Ｔ９Ａ，Ｔ１１  アース端子
Ｔ７，Ｔ７Ａ  電源供給端子
Ｔ８，Ｔ８Ａ  信号入力端子
ＴＤ１，ＴＤ２，ＴＤ１Ａ，ＴＤ２Ａ  ツェナーダイオード
【図１】
2008072311.tif 000003
【図２】
2008072311.tif 000004
【図３】
2008072311.tif 000005
【図４】
2008072311.tif 000006
【図５】
2008072311.tif 000007